(57)【要約】  広告主が膨大な額の費用を負担することがない無料郵便システム及び郵送仲介サーバを提供することを目的とする。  無料郵便システム１である。郵送仲介サーバ２０は、広告画像を含む葉書データを記憶する葉書記憶手段２４を有し、葉書データの送信を要求する葉書データ送信要求を差出人端末１０から受信し、葉書データ送信要求を受信した場合に広告主の予算が残されている葉書データを葉書記憶手段２４から抽出し、抽出された葉書データを差出人端末１０に送信し、送信された葉書データについて差出人端末１０から郵送仲介依頼データを受信した場合に、該葉書データを含む郵送依頼データを印刷サーバ３０（又は４０）に送信し、印刷サーバ３０（又は４０）は、郵送仲介サーバ２０から郵送依頼データを受信する。
2008096391.tif 000002
【特許請求の範囲】
【請求項１】
差出人端末にネットワークを介して接続された郵送仲介サーバと、前記郵送仲介サーバにネットワークを介して接続された印刷コンピュータと、を備えた無料郵便システムであって、
前記郵送仲介サーバは、
広告画像を含む葉書データを記憶する葉書記憶手段と、
前記葉書データの送信を要求する葉書データ送信要求を前記差出人端末から受信する葉書データ送信要求受信手段と、
前記葉書データ送信要求受信手段によって前記葉書データ送信要求を受信した場合に、広告主の予算が残されている葉書データを前記葉書記憶手段から抽出する葉書データ抽出処理手段と、
前記葉書データ抽出処理手段によって抽出された葉書データを前記差出人端末に送信する葉書データ送信手段と、
前記葉書データ送信手段によって送信された葉書データについて前記差出人端末から郵送仲介依頼データを受信した場合に、該葉書データを含む郵送依頼データを前記印刷コンピュータに送信する郵送依頼データ送信手段と、
を具備し、
前記印刷コンピュータは、
前記郵送仲介サーバから前記郵送依頼データを受信する郵送依頼データ受信手段を具備する、
ことを特徴とする無料郵便システム。
【請求項２】
差出人端末と印刷コンピュータとにネットワークを介して接続された郵送仲介サーバであって、
広告画像を含む葉書データを記憶する葉書記憶手段と、
前記葉書データの送信を要求する葉書データ送信要求を前記差出人端末から受信する葉書データ送信要求受信手段と、
前記葉書データ送信要求受信手段によって前記葉書データ送信要求を受信した場合に、広告主の予算が残されている葉書データを前記葉書記憶手段から抽出する葉書データ抽出処理手段と、
前記葉書データ抽出処理手段によって抽出された葉書データを前記差出人端末に送信する葉書データ送信手段と、
前記葉書データ送信手段によって送信された葉書データについて前記差出人端末から郵送仲介依頼データを受信した場合に、該葉書データを含む郵送依頼データを前記印刷コンピュータに送信する郵送依頼データ送信手段と、
を具備する、
ことを特徴とする郵送仲介サーバ。
【発明の詳細な説明】
【技術分野】
【０００１】
本発明は、葉書の郵送を仲介する郵便システム及び郵送仲介サーバに関する。
【背景技術】
【０００２】
従来、注文者のユーザ端末から郵便物の作成依頼を受け付けた受付センター端末が、注文者が料金を支払うことが可能か否かを照会し、料金を支払うことが可能である場合には、印刷業者端末に郵便物の印刷を要求する郵便受付システムが提案された（特許文献１）。【０００３】
また、従来、使用者が、インターネットを介して広告を含む宛名面画像を入手し、これを郵便物に印刷して発送することにより、広告主に広告料として郵送料を全額または一部負担させる郵便物印刷装置が提案された（特許文献２）。
【特許文献１】特開２００１−３３８０２９号公報
【特許文献２】特開２００３−１６２５６５号公報
【発明の開示】
【発明が解決しようとする課題】
【０００４】
しかしながら、特許文献１に記載の郵便受付システムでは、注文者が料金を支払うことができない場合には、注文が破棄されてしまい、郵便を送ることができないという問題があった。【０００５】
また、特許文献２に記載の郵便物印刷装置では、広告を含む宛名面画像をインターネットを介して誰でも容易に入手できてしまうため、この広告を含む宛名面画像を印刷された郵便物が多量に発送されてしまうおそれがあり、この場合は、広告主が膨大な額の郵送料を負担しなければならなくなるという問題があった。【０００６】
そこで、本発明は、広告主が膨大な額の費用を負担することがない無料郵便システム及び郵送仲介サーバを提供することを目的とする。
【課題を解決するための手段】
【０００７】
本発明によれば、上記課題は、次の手段により解決される。【０００８】
本発明は、差出人端末にネットワークを介して接続された郵送仲介サーバと、前記郵送仲介サーバにネットワークを介して接続された印刷コンピュータと、を備えた無料郵便システムであって、前記郵送仲介サーバは、広告画像を含む葉書データを記憶する葉書記憶手段と、前記葉書データの送信を要求する葉書データ送信要求を前記差出人端末から受信する葉書データ送信要求受信手段と、前記葉書データ送信要求受信手段によって前記葉書データ送信要求を受信した場合に、広告主の予算が残されている葉書データを前記葉書記憶手段から抽出する葉書データ抽出処理手段と、前記葉書データ抽出処理手段によって抽出された葉書データを前記差出人端末に送信する葉書データ送信手段と、前記葉書データ送信手段によって送信された葉書データについて前記差出人端末から郵送仲介依頼データを受信した場合に、該葉書データを含む郵送依頼データを前記印刷コンピュータに送信する郵送依頼データ送信手段と、を具備し、前記印刷コンピュータは、前記郵送仲介サーバから前記郵送依頼データを受信する郵送依頼データ受信手段を具備する、ことを特徴とする無料郵便システムである。【０００９】
また、本発明は、差出人端末と印刷コンピュータとにネットワークを介して接続された郵送仲介サーバであって、広告画像を含む葉書データを記憶する葉書記憶手段と、前記葉書データの送信を要求する葉書データ送信要求を前記差出人端末から受信する葉書データ送信要求受信手段と、前記葉書データ送信要求受信手段によって前記葉書データ送信要求を受信した場合に、広告主の予算が残されている葉書データを前記葉書記憶手段から抽出する葉書データ抽出処理手段と、前記葉書データ抽出処理手段によって抽出された葉書データを前記差出人端末に送信する葉書データ送信手段と、前記葉書データ送信手段によって送信された葉書データについて前記差出人端末から郵送仲介依頼データを受信した場合に、該葉書データを含む郵送依頼データを前記印刷コンピュータに送信する郵送依頼データ送信手段と、を具備する、ことを特徴とする郵送仲介サーバである。
【発明の効果】
【００１０】
本発明によれば、郵送仲介可能な葉書が広告主の予算が残されている葉書データを印刷された葉書に限られる。したがって、本発明によれば、広告主が広告料として負担する葉書郵送に伴う費用が広告主の予算の範囲内に限られることとなり、広告主が膨大な額の費用を負担することがない無料郵便システム及び郵送仲介サーバを提供することが可能となる。
【図面の簡単な説明】
【００１１】
【図１】本発明の実施の形態に係る無料郵便システムの概略構成を示す図である。
【図２】本発明の実施の形態に係る無料郵便システムの概略動作を示す図である。
【図３】本発明の実施の形態に係る郵送仲介サーバの概略構成図である。
【図４】本発明の実施の形態に係る葉書記憶手段の概略構成図である。
【図５】本発明の実施の形態に係る各種テーブルの概略構成を示す図である。
【図６】本発明の実施の形態に係る葉書抽出処理の概略フローチャートである。
【図７】本発明の実施の形態に係る個別予算抽出処理の概略フローチャートである。
【図８】本発明の実施の形態に係る全体予算抽出処理の概略フローチャートである。
【図９】本発明の実施の形態に係る予約処理の概略フローチャートである。
【図１０】本発明の実施の形態に係る予約テーブル書込処理の概略フローチャートである。
【図１１】本発明の実施の形態に係る確定処理の概略フローチャートである。
【図１２】本発明の実施例を説明する図である。
【符号の説明】
【００１２】
１    無料郵便システム
１０    差出人端末
２０    郵送仲介サーバ
２１    ＣＰＵ
２２    ＲＡＭ
２３    ＲＯＭ
２４    葉書記憶手段
２４１    予算テーブル
２４２    葉書テーブル
２４３    葉書データ格納領域
２４３１    アドレス
２４４    予約テーブル
２５    ネットワークインターフェース手段
２６    記憶手段
２７    バス
３０、４０    印刷サーバ
５０    広告主端末
６０、７０、８０    郵便局
９０    受取人宅
１００  ネットワーク
Ａ、Ｂ、Ｃ、Ｄ、Ｅ    葉書データ
【発明を実施するための最良の形態】
【００１３】
以下に、添付した図面を参照しつつ、本発明の実施するための最良の形態を詳細に説明する。【００１４】
＜無料郵便システム１の概略構成＞
まず、図１を参照しつつ、本発明の実施の形態に係る無料郵便システムの概略構成について説明する。図１は、本発明の実施の形態に係る無料郵便システムの概略構成を示す図である。
図１に示すように、本発明の実施の形態に係る無料郵便システム１は、差出人端末１０と、郵送仲介サーバ２０と、印刷サーバ３０、４０と、広告主端末５０と、を備えている。差出人端末１０、郵送仲介サーバ２０、印刷サーバ３０、４０、及び広告主端末５０は、電話回線網や光ファイバー網などのネットワーク１００によって接続されている。【００１５】
差出人端末１０は、葉書の差出人により使用されるクライアントコンピュータであり、パーソナルコンピュータや携帯電話やＰＤＡなどによって実現される。また、郵送仲介サーバ２０は、郵送仲介者により使用されるサーバコンピュータであり、サーバ機能を備えたコンピュータにより実現される。印刷サーバ３０、４０は、印刷業者により使用されるサーバコンピュータであり、サーバ機能を備えたコンピュータにより実現される。また、広告主端末５０は、葉書に広告を載せる広告主により使用されるクライアントコンピュータであり、パーソナルコンピュータや携帯電話やＰＤＡなどによって実現される。なお、印刷サーバ３０、４０は、印刷業者により使用されるクライアントコンピュータによっても実現することができ、この場合、印刷サーバ３０、４０は、パーソナルコンピュータや携帯電話やＰＤＡなどによって実現される。【００１６】
本発明の実施の形態に係る無料郵便システム１においては、差出人端末１０を使用する差出人から受取人宅９０に居住する受取人へ郵送される葉書に、広告主端末５０から郵送仲介サーバ２０に対して送信された広告画像が印刷される。葉書の郵送に伴う費用は、広告画像を広告主端末５０から送信した広告主によって全額負担され、差出人は、受取人に対して葉書を無料で郵送することが可能となる。
そして、本発明の実施の形態に係る無料郵便システム１によれば、以下で説明するように、郵送仲介可能な葉書が広告主の予算が残されている葉書データを印刷された葉書に限られる。したがって、本発明の実施の形態に係る無料郵便システム１によれば、広告主が広告料として負担する葉書郵送に伴う費用が広告主の予算の範囲内に限られることとなり、広告主が膨大な額の費用を負担することがない。【００１７】
＜無料郵便システム１の概略動作＞
次に、図２を参照しつつ、本発明の実施の形態に係る無料郵便システム１の概略動作を説明する。図２は、本発明の実施の形態に係る無料郵便システムの概略動作を示す図である。【００１８】
本発明の実施の形態に係る無料郵便システム１においては、まず、広告主端末５０から郵送仲介サーバ２０に対して広告依頼データが送信される（Ｓ１０）。この広告依頼データには、葉書に載せる広告画像や広告の予算や予算の管理方法（全体予算管理又は個別予算管理）を示すデータなどが含まれている。葉書に載せる広告画像は、葉書データの一部として、後述する葉書記憶手段２４における葉書データ格納領域２４３に格納される。また、広告の予算は、後述する葉書記憶手段２４における予算テーブル２４１の「予算」フィールドに格納される。また、予算の管理方法（全体予算管理又は個別予算管理）は、後述する葉書記憶手段２４における予算テーブル２４１の「予算フラグ」フィールドに格納される。【００１９】
なお、広告画像とは、絵画像や文字画像などをいう。この広告画像は、上述したように、広告依頼データの一部として広告主端末５０から郵送仲介サーバ２０に対して送信されることが好ましいが、たとえば、広告主端末５０が郵送仲介サーバ２０に対して文字データを送信し、郵送仲介サーバ２０において、この文字データを文字画像として含む広告画像を生成することなども可能である。【００２０】
次に、差出人端末１０が、郵送仲介サーバ２０に対して、Ｗｅｂページの送信を要求するＷｅｂページ送信要求を送信する（Ｓ２０）。このＷｅｂページは、差出人端末１０と郵送仲介サーバ２０との間におけるインターフェースとしての役割を果たし、差出人端末１０と郵送仲介サーバ２０との間におけるデータの送受信は、このＷｅｂページを介して行われる。【００２１】
次に、郵送仲介サーバ２０が、差出人端末１０に対して、Ｗｅｂページを送信する（Ｓ３０）。【００２２】
次に、差出人端末１０のブラウザにてＷｅｂページが読み込まれ、ブラウザ上で差出人端末プログラムが起動する（Ｓ４０）。ここで、差出人端末プログラムは、郵送仲介サーバ２０に対するＷｅｂページの閲覧要求とは非同期に、郵送仲介サーバ２０との間でデータの送受信を行うプログラムであり、Ｗｅｂページに予め記述されたスクリプト言語や、このスクリプト言語によって呼び出されてＷｅｂページに書き込まれるスクリプト言語などによって実現される。【００２３】
次に、差出人端末１０のブラウザ上で動作する差出人端末プログラムが、郵送仲介サーバ２０に対して、葉書データの送信を要求する葉書データ送信要求を送信する（Ｓ５０）。ここで、葉書データは、広告画像を含んだデータであり、葉書に印刷される画像や文字などを示すものである。【００２４】
次に、郵送仲介サーバ２０が、広告主の予算が残されている葉書データを葉書記憶手段２４から抽出する（Ｓ６０）。後述するように、葉書記憶手段２４は、広告画像を含む葉書データを記憶する葉書データ格納領域２４３を有しており、葉書データは、この葉書データ格納領域２４３から抽出される。【００２５】
次に、郵送仲介サーバ２０が、差出人端末１０のブラウザ上で動作する差出人端末プログラムに対して、抽出した葉書データを葉書ＩＤとともに送信する（Ｓ７０）。ここで、葉書ＩＤとは、葉書データを一意に特定する番号である。なお、郵送仲介サーバ２０は、抽出されなかった葉書データ（すなわち、広告主の予算が残されていない葉書データ）も差出人端末１０に送信することができる。【００２６】
次に、差出人端末１０のブラウザ上で動作する差出人端末プログラムが、差出人端末１０のブラウザ上に、葉書データを表示する（Ｓ８０）。これにより、差出人は、差出人端末１０のブラウザ上で、葉書に印刷される葉書データを選択することが可能となる。なお、上述したように、郵送仲介サーバ２０は、抽出されなかった葉書データ（すなわち、広告主の予算が残されていない葉書データ）も差出人端末１０に送信することができるが、この場合、抽出されなかった葉書データ（すなわち、広告主の予算が残されていない葉書データ）は、差出人端末１０のブラウザ上で選択することができない。【００２７】
次に、差出人端末１０のブラウザ上で動作する差出人端末プログラムが、差出人端末１０のブラウザ上に表示された葉書データを選択する処理を行う（Ｓ９０）。この選択は、差出人端末プログラムが、差出人端末１０のブラウザ上に表示された葉書データがクリックされたことを検知することなどにより行われる。なお、上述したように、郵送仲介サーバ２０は、抽出されなかった葉書データ（すなわち、広告主の予算が残されていない葉書データ）も差出人端末１０に送信することができるが、この場合、抽出されなかった葉書データ（すなわち、広告主の予算が残されていない葉書データ）は、差出人端末１０のブラウザ上で選択することができず、差出人端末プログラムが、抽出されなかった葉書データ（すなわち、広告主の予算が残されていない葉書データ）を選択することはない。【００２８】
次に、差出人端末１０のブラウザ上で動作する差出人端末プログラムが、差出人端末１０のブラウザを介して入力されたデータについて入力処理を行う（Ｓ１００）。この入力処理は、差出人端末プログラムが、差出人端末１０のブラウザ上に入力されたデータなどを取得することにより行われる。差出人端末１０のブラウザ上に入力されるデータには、受取人データ、差出人データ、及び予約枚数などが含まれる。ここで、受取人データとは、葉書の受取人の氏名や名称、住所、郵便番号などを示すデータであり、差出人データとは、葉書の差出人の氏名や名称、住所、郵便番号などを示すデータである。また、予約枚数とは、ステップＳ９０で選択した葉書データについて、郵送仲介を希望する枚数を示すデータである。【００２９】
次に、差出人端末１０のブラウザ上で動作する差出人端末プログラムが、郵送仲介サーバ２０に対して、選択データ、受取人データ、差出人データを送信する（Ｓ１１０）。ここで、選択データには、ステップＳ９０で選択された葉書の葉書ＩＤやステップＳ１００でブラウザに入力された予約枚数などが含まれる。これにより、差出人端末１０から郵送仲介サーバ２０に対して、葉書ＩＤで特定される葉書データが印刷された葉書を、予約枚数だけ郵送仲介可能か否かが問い合わせられる。【００３０】
次に、郵送仲介サーバ２０が、予約処理を行う（Ｓ１２０）。この予約処理は、ステップＳ１１０にて問い合わせがなされた予約枚数分の葉書を郵送仲介可能か否かを判定などする処理である。郵送仲介サーバ２０は、差出人端末１０のブラウザ上で動作する差出人端末プログラムに対して、郵送仲介可能であれば予約完了通知を送信し、郵送仲介不可能であれば郵送不可通知を送信する（Ｓ１３０）。なお、予約完了通知には、予約ＩＤが含まれている。ここで、予約ＩＤは、予約した葉書データの葉書ＩＤや予約枚数などを特定可能なデータである。【００３１】
差出人端末１０のブラウザ上で動作する差出人端末プログラムは、予約完了通知を受信した場合、郵送仲介サーバ２０に対して、確定データを送信する（Ｓ１４０）。ここで、確定データには、指示データと予約ＩＤとが含まれている。指示データは、郵送の仲介依頼を示す郵送仲介依頼データか、郵送の仲介依頼のキャンセルを示すキャンセルデータかのいずれかである。【００３２】
次に、郵送仲介サーバ２０が、確定処理を行う（Ｓ１５０）。この確定処理は、郵送の仲介依頼がなされた葉書データについて、この葉書データに含まれる広告画像を入稿した広告主の予算を管理するための処理などである。【００３３】
次に、郵送仲介サーバ２０が郵送依頼データを印刷サーバ３０（又は印刷サーバ４０）に対して送信する（Ｓ１６０）。ここで、郵送依頼データには、受取人データ、差出人データ、及び葉書データが含まれる。【００３４】
以上説明した実施の形態に係る無料郵便システム１における動作の後、郵送依頼データが印刷サーバ３０（又は印刷サーバ４０）に受信され、郵送依頼データに含まれる受取人データ、差出人データ、及び葉書データが葉書に印刷される。印刷後の葉書は、郵便局６０（又は郵便局７０）に投函され、郵便局８０に郵送された後、郵便局８０から受取人宅９０に郵送される。【００３５】
なお、本発明の実施の形態に係る無料郵便システム１においては、ステップＳ１００において、差出人から受取人に対するメッセージデータ（例えば、「明けましておめでとうございます。今年も宜しくお願い致します。」や「メーリークリスマス！」など）についての入力処理を行うこともでき、この場合は、ステップＳ１１０において、差出人端末１０から郵送仲介サーバ２０に対してメッセージデータが送信される。また、ステップＳ１６０における郵送依頼データにメッセージデータが含まれることとなり、このメッセージデータも葉書に印刷される。【００３６】
以上説明したように、本発明の実施の形態に係る無料郵便システム１によれば、差出人端末１０から郵送仲介サーバ２０に対して郵送仲介可能とされる葉書が、ステップＳ６０にて抽出された葉書データを印刷される葉書、すなわち、広告主の予算が残されている葉書データを印刷された葉書に限られる。したがって、本発明の実施の形態に係る無料郵便システム１によれば、広告主が広告料として負担する葉書郵送に伴う費用が広告主の予算の範囲内に限られることとなり、広告主が膨大な額の費用を負担することがない。【００３７】
＜郵送仲介サーバ２０の概略構成＞
次に、図３を参照しつつ、本発明の実施の形態に係る郵送仲介サーバ２０の概略構成について説明する。図３は、本発明の実施の形態に係る郵送仲介サーバの概略構成図である。【００３８】
図３に示すように、郵送仲介サーバ２０は、ＣＰＵ２１と、ＲＡＭ２２と、ＲＯＭ２３と、葉書記憶手段２４と、ネットワークインターフェース手段２５と、記憶手段２６と、を具備している。ＣＰＵ２１、ＲＡＭ２２、ＲＯＭ２３、葉書記憶手段２４、ネットワークインターフェース手段２５、及び記憶手段２６は、バス２７を介して接続されている。葉書記憶手段２４及び記憶手段２６は、ハードディスクなどのストレージデバイスにより構成され、ネットワークインターフェース手段２５は、ＮＩＣなどのデバイスによって構成される。なお、本実施の形態においては、葉書記憶手段２４と記憶手段２６とを別個に構成したが、葉書記憶手段２４と記憶手段２６とは、１つの記憶手段として構成することも可能であり、この場合、１つの記憶手段において、葉書記憶手段２４を構成する領域と、記憶手段２６を構成する領域が設けられる。郵送仲介サーバ２０は、ＲＯＭ２３や記憶手段２６に記憶されたプログラムがＣＰＵ２１によって実行されることにより動作し、各種の処理を行う。【００３９】
次に、図４を参照しつつ、本発明の実施の形態に係る葉書記憶手段２４の概略構成を説明する。図４は、本発明の実施の形態に係る葉書記憶手段の概略構成図である。図４に示すように、葉書記憶手段２４には、予算テーブル２４１と、葉書テーブル２４２と、葉書データ格納領域２４３と、予約テーブル２４４と、が記憶されている。葉書データ格納領域２４３には、１〜５のアドレス２４３１が振られており、これら１〜５のアドレスに対応して、葉書ＩＤ１〜５、葉書データ１〜５がそれぞれ格納されている。【００４０】
次に、図５を参照しつつ、本発明の実施の形態に係る各種テーブルの概略構成について説明する。図５は、本発明の実施の形態に係る各種テーブルの概略構成を示す図であり、図５（ａ）は予算テーブルの概略構成を示す図、図５（ｂ）は葉書テーブルの概略構成を示す図、図５（ｃ）は予約テーブルの概略構成を示す図である。【００４１】
［予算テーブル］
まず、図５（ａ）を参照しつつ、予算テーブルの概略構成について説明する。
図５（ａ）に示すように、予算テーブルは、「広告主ＩＤ」フィールド、「広告主の名称」フィールド、「予算」フィールド、「予算フラグ」フィールド、「使用済金額」フィールドを有している。【００４２】
「広告主ＩＤ」フィールド
「広告主ＩＤ」フィールドには、広告主を一意に特定する番号が格納される。本実施の形態では、○○株式会社を一意に特定する番号として「１」が格納されており、△△株式会社を一意に特定する番号として「２」が格納されており、□□株式会社を一意に特定する番号として「３」が格納されている。【００４３】
「広告主の名称」フィールド
「広告主の名称」フィールドには、広告主の名称が格納される。本実施の形態では、広告主の名称として、○○株式会社、△△株式会社、□□株式会社が格納されている。【００４４】
「予算」フィールド
「予算」フィールドには、広告主の予算が格納される。本実施の形態では、○○株式会社の予算として１００万円を示す数値が格納され、△△株式会社の予算として３０万円を示す数値が格納され、□□株式会社の予算として２００万円を示す数値が格納されている。【００４５】
「予算フラグ」フィールド
「予算フラグ」フィールドには、全体予算管理と個別予算管理との別を示す数値が格納されており、「０」は全体予算管理を示し、「１」は個別予算管理を示す。ここで、全体予算管理とは、複数の葉書の全体について予算を設定する予算の管理方法をいい、個別予算管理とは、個別の葉書について予算を設定する予算の管理方法をいう。【００４６】
「使用済金額」フィールド
「使用済金額」フィールドには、予算のうちで既に使用された金額、すなわち、広告料として既に負担した郵送に伴う費用の合計値が格納される。本実施の形態では、○○株式会社の使用済金額として５０万円を示す数値が格納され、△△株式会社の使用済金額として０万円を示す数値が格納され、□□株式会社の使用済金額として２００万円を示す数値が格納されている。【００４７】
［葉書テーブル］
次に、図５（ｂ）を参照しつつ、葉書テーブルの概略構成について説明する。
図５（ｂ）に示すように、葉書テーブルは、「葉書ＩＤ」フィールド、「広告主ＩＤ」フィールド、「仲介上限枚数」フィールド、及び「仲介済枚数」フィールドを有している。【００４８】
「葉書ＩＤ」フィールド
「葉書ＩＤ」フィールドには、葉書データを一意に特定する番号が格納される。本実施の形態では、葉書データ格納領域２４３に格納された葉書データ１〜５をそれぞれ一意に特定する番号である「１」〜「５」が格納されている。【００４９】
「広告主ＩＤ」フィールド
上記した予算テーブル２４１の場合と同様に、「広告主ＩＤ」フィールドには、広告主を一意に特定する番号が格納される。【００５０】
「仲介上限枚数」フィールド
「仲介上限枚数」フィールドには、個別予算管理の場合において、郵送仲介枚数の上限を示す値が格納される。郵送仲介枚数の上限を示す値は、たとえば次のような処理によって「仲介上限枚数」フィールドに格納される。すなわち、葉書テーブルと予算テーブルとを広告主ＩＤをキーにして結合し、「予算フラグ」フィールドに「１」が格納されているレコードの「予算」フィールドに格納されている予算を葉書の単価（本実施の形態では１００円）で除算し、この除算により算出された値を当該レコードの「仲介上限枚数」フィールドに郵送仲介枚数の上限を示す値として格納する処理である。【００５１】
「仲介済枚数」フィールド
「仲介済枚数」フィールドには、葉書データが印刷された葉書について、既に郵送を仲介した枚数を示す数値が格納される。本実施の形態では、葉書ＩＤ１〜５で示される葉書データが印刷された葉書について、それぞれ、２５００枚、０枚、２５００枚、２０００枚、１８０００枚の郵送を仲介したことを示す数値が格納されている。【００５２】
［予約テーブル］
次に、図５（ｃ）を参照しつつ、予約テーブルの概略構成について説明する。
図５（ｃ）に示すように、予約テーブルは、「予約ＩＤ」フィールド、「葉書ＩＤ」フィールド、「広告主ＩＤ」フィールド、「予約枚数」フィールド、及び「予約金額」フィールドを有している。【００５３】
「予約ＩＤ」フィールド
「予約ＩＤ」フィールドには、予約ＩＤが格納される。この予約ＩＤにより、どの広告主（広告主ＩＤ）によるどの葉書データ（葉書ＩＤ）が、どれだけの枚数（予約枚数）でどれだけの金額（予約金額）だけ予約されたかが特定可能とされる。【００５４】
「葉書ＩＤ」フィールド
上記した葉書テーブル２４２の場合と同様に、「葉書ＩＤ」フィールドには、葉書データを一意に特定する番号が格納される。【００５５】
「広告主ＩＤ」フィールド
上記した予算テーブル２４１の場合と同様に、「広告主ＩＤ」フィールドには、広告主を一意に特定する番号が格納される。【００５６】
「予約枚数」フィールド
「予約枚数」フィールドには、ステップＳ１１０の選択データに含まれる予約枚数が格納される。本実施の形態では、予約ＩＤ１において葉書ＩＤ２について５００枚の予約、予約ＩＤ２において葉書ＩＤ３について１０００枚の予約、予約ＩＤ３において葉書ＩＤ１について４０００枚の予約、予約ＩＤ４において葉書ＩＤ２について２００枚の予約がなされている。【００５７】
「予約金額」フィールド
「予約金額」フィールドには、ステップＳ１１０の選択データに含まれる予約枚数に葉書の単価（本実施の形態では１００円）を乗算することにより算出される予約金額が格納される。本実施の形態では、予約ＩＤ１において葉書ＩＤ２について５万円の予約、予約ＩＤ２において葉書ＩＤ３について１０万円の予約、予約ＩＤ３において葉書ＩＤ１について４０万円の予約、予約ＩＤ４において葉書ＩＤ２について２万円の予約がなされている。【００５８】
＜葉書抽出処理＞
次に、図６を参照しつつ、本発明の実施の形態に係る葉書抽出処理の概略を説明する。図６は、本発明の実施の形態に係る葉書抽出処理の概略フローチャートである。
図６に示すように、葉書抽出処理（Ｓ６０）においては、まず、個別予算抽出処理が行われ（Ｓ６１）、ついで、全体予算抽出処理（Ｓ６２）が行われる。ここで、個別予算抽出処理（Ｓ６０）は、個別の葉書データについて予算を設定する予算管理方法が取られた葉書データの中から広告主の予算が残っている葉書データを抽出する処理である。また、全体予算抽出処理（Ｓ６１）は、複数の葉書データの全体について予算を設定する予算管理方法が取られた葉書データの中から広告主の予算が残っている葉書データを抽出する処理である。【００５９】
［個別予算抽出処理］
次に、図７を参照しつつ、本発明の実施の形態に係る個別予算抽出処理の概略を説明する。図７は、本発明の実施の形態に係る個別予算抽出処理の概略フローチャートである。【００６０】
図７に示すように、個別予算抽出処理では、まず、葉書テーブルと予約テーブルとを葉書ＩＤをキーにして結合し、葉書テーブルの「仲介済枚数」フィールドに格納されている仲介済枚数と予約テーブルの「予約枚数」フィールドに格納されている予約枚数の合計値との合計値が、葉書テーブルの「仲介上限枚数」フィールドに格納されている仲介上限枚数よりも小さいレコードを特定する（Ｓ６１１）。【００６１】
次に、特定したレコードの「葉書ＩＤ」フィールドに格納されている葉書ＩＤを取得する（Ｓ６１２）。【００６２】
次に、葉書データ格納領域２４３にアクセスし、取得した葉書ＩＤに基づいて、葉書データを取得する（Ｓ６１３）。【００６３】
［全体予算抽出処理］
次に、図８を参照しつつ、本発明の実施の形態に係る全体予算抽出処理の概略を説明する。図８は、本発明の実施の形態に係る全体予算抽出処理の概略フローチャートである。【００６４】
図８に示すように、全体予算抽出処理では、まず、予算テーブルと予約テーブルとを広告主ＩＤをキーにして結合し、予算テーブルの「予算フラグ」フィールドに「０」が格納されており、かつ、予算テーブルの「使用済金額」フィールドに格納されている使用済金額と予約テーブルの「予約金額」フィールドに格納されている予約金額の合計値との合計値が、予算テーブルの「予算」フィールドに格納されている予算よりも小さいレコードを特定する（Ｓ６２１）。【００６５】
次に、特定したレコードの「広告主ＩＤ」フィールドに格納されている広告主ＩＤを取得する（Ｓ６２２）。【００６６】
次に、葉書テーブルにアクセスし、取得した広告主ＩＤを「広告主ＩＤ」フィールドに格納しているレコードを特定する（Ｓ６２３）。【００６７】
次に、特定したレコードの「葉書ＩＤ」フィールドに格納されている葉書ＩＤを取得する（Ｓ６２４）。【００６８】
次に、葉書データ格納領域２４３にアクセスし、取得した葉書ＩＤに基づいて、葉書データを取得する（Ｓ６２５）。【００６９】
以上説明したように、本発明の実施の形態に係る無料郵便システム１によれば、広告主は、個別の葉書データについて予算を設定することもできるし、また、複数の葉書データの全体について予算を設定することもできる。そして、郵送仲介サーバ２０は、予算管理方法の違いを踏まえて、郵送仲介可能な葉書データを葉書データ格納領域２４３から抽出することができる。したがって、本発明の実施の形態に係る無料郵便システム１によれば、個別予算管理を行う葉書データと全体予算管理を行う葉書データとが葉書データ格納領域２４３に混在して格納されている場合であっても、広告主が予期しない額の費用を広告料として負担することがない。よって、本発明の実施の形態に係る無料郵便システム１によれば、広告主は、広告料として負担する葉書郵送に伴う費用についての予算を柔軟に設定することができ、予算を有効に活用することが可能となる。【００７０】
＜予約処理＞
次に、図９を参照しつつ、本発明の実施の形態に係る予約処理の概略を説明する。図９は、本発明の実施の形態に係る予約処理の概略フローチャートである。【００７１】
図９に示すように、予約処理においては、まず、選択データから、葉書ＩＤ及び予約枚数を抽出する（Ｓ１２０１）。【００７２】
次に、予算テーブルと葉書テーブルとを広告主ＩＤをキーにして結合し、葉書テーブルの「葉書ＩＤ」フィールドに抽出した葉書ＩＤを格納しているレコードを特定する（Ｓ１２０２）。【００７３】
次に、特定したレコードの「予算フラグ」フィールドに、「１」が格納されているかを判定する（Ｓ１２０３）。これにより、選択データから抽出された葉書ＩＤにより特定される葉書データが、個別に予算が管理されているものか、他の葉書データとともに全体として予算が管理されているものかが判定される。【００７４】
ステップＳ１２０３にて、「１」が格納されていると判定された場合（個別予算管理されているものと判定された場合）、葉書テーブルと予約テーブルとを葉書ＩＤをキーにして結合し、「葉書ＩＤ」フィールドに抽出した葉書ＩＤを格納しているレコードを特定する（Ｓ１２０４）。そして、特定したレコードの「仲介済枚数」フィールドに格納されている仲介済枚数と、特定したレコードの「予約枚数」フィールドに格納されている予約枚数の合計値と、選択データから抽出した予約枚数と、の合計値が、葉書テーブルの「仲介上限枚数」フィールドに格納されている仲介上限枚数よりも小さいか否かを判定する（Ｓ１２０５）。小さいと判定された場合は、予約テーブル書込処理を行い（Ｓ１２０６）、予約ＩＤを含む予約完了通知を差出人端末１０に送信する（Ｓ１２０７）。他方、大きいと判定された場合は、郵送不可通知を差出人端末１０に送信する（Ｓ１２０８）。【００７５】
ステップＳ１２０３にて、「０」が格納されていると判定された場合（全体予算管理されているものと判定された場合）、予算テーブルと予約テーブルとを広告主ＩＤをキーにして結合し、「葉書ＩＤ」フィールドに抽出した葉書ＩＤを格納しているレコードを特定する（Ｓ１２０９）。そして、特定したレコードの「使用済金額」フィールドに格納されている使用済金額と、特定したレコードの「予約金額」フィールドに格納されている予約金額の合計値と、選択データから抽出した予約枚数から算出される金額と、の合計値が、特定したレコードの「予算」フィールドに格納されている予算よりも小さいかを判定する（Ｓ１２１０）。小さいと判定された場合は、予約テーブル書込処理を行い（Ｓ１２１１）、予約ＩＤを含む予約完了通知を差出人端末１０に送信する（Ｓ１２１２）。他方、大きいと判定された場合は、郵送不可通知を差出人端末１０に送信する（Ｓ１２１３）。【００７６】
［予約テーブル書込処理］
次に、図１０を参照しつつ、本発明の実施の形態に係る予約テーブル書込処理の概略を説明する。図１０は、本発明の実施の形態に係る予約テーブル書込処理の概略フローチャートである。【００７７】
図１０に示すように、予約テーブル書込処理においては、まず、葉書テーブルにアクセスし、選択データから抽出した葉書ＩＤを「葉書ＩＤ」フィールドに格納しているレコードを特定する（Ｓ１２２１）。【００７８】
次に、特定したレコードの「広告主ＩＤ」フィールドに格納されている広告主ＩＤを取得する（Ｓ１２２２）。【００７９】
次に、予約テーブルにアクセスし、最後尾レコードの「葉書ＩＤ」フィールド、「広告主ＩＤ」フィールド、「予約枚数」フィールド、「予約金額」フィールドに、それぞれ、抽出した葉書ＩＤ、取得した広告主ＩＤ、抽出した予約枚数、予約枚数から算出した金額を格納する（Ｓ１２２３）。【００８０】
次に、上記データを格納したレコードから、「予約ＩＤ」フィールドに格納されている予約ＩＤを取得する（Ｓ１２２４）。【００８１】
本発明の実施の形態に係る無料郵便システム１においては、葉書データ抽出処理（Ｓ６０）によって広告主の予算が残されている葉書データが抽出されるため、この抽出された葉書データについては上記のような問い合わせを行わなくても郵送仲介を依頼できるとも考えられる。
しかしながら、年末やクリスマスなどにおいては、年賀状やクリスマスカードなどが短期間に大量に郵送される。このため、たとえば、ある者がブラウザ上で葉書データ抽出処理（Ｓ６０）によって抽出された葉書データの選択を検討している際に、他の者が当該葉書データを印刷された葉書の郵送仲介を郵送仲介サーバ２０に依頼してしまっている事態が想定される。この場合、当該葉書データは、葉書データ抽出処理によって抽出された葉書データであり、郵送仲介サーバ２０によって郵送仲介可能であると判定されたものであるから、ある者が差出人端末１０から当該葉書データの郵送仲介依頼データを郵送仲介サーバ２０に対して送信してしまうと、郵送仲介サーバ２０は、当該葉書データについての郵送依頼データを印刷サーバ３０（又は４０）に送信してしまう。このような事態が生じると、広告主の予算を超えて、当該葉書データを印刷された葉書の郵送が行われる場合があり、この場合は、予算を超えた分の金額を広告主又は郵送仲介サーバ２０を使用する郵送仲介者が負担しなければならなくなり、広告主又は郵送仲介者は、予期せぬ多額の費用を負担することになるおそれがある。
しかしながら、本発明の実施の形態に係る無料郵便システム１によれば、上述したように、差出人端末１０から郵送仲介サーバ２０に対して、選択した葉書データが印刷された葉書を予約枚数分だけ郵送仲介可能か否かが問い合わせられ、郵送仲介可能であれば、郵送仲介サーバ２０において当該葉書データが当該予約枚数分だけ予約され、予約完了通知が差出人端末１０に送信される。そして、差出人端末１０は、予約完了通知を受信した場合にのみ、当該葉書データが印刷された葉書を当該予約枚数分だけ郵送依頼できるものとされる。したがって、本発明の実施の形態に係る無料郵便システム１においては、広告主の予算を超えて、葉書データを印刷された葉書の郵送が行われることがなく、予算を超えた分の金額を広告主又は郵送仲介サーバ２０を使用する郵送仲介者が負担しなければならなくなる事態が回避される。よって、本発明の実施の形態に係る無料郵便システム１によれば、広告主又は郵送仲介者が、予期せぬ多額の費用を負担することがない。【００８２】
＜確定処理＞
次に、図１１を参照しつつ、本発明の実施の形態に係る確定処理の概略を説明する。図１１は、本発明の実施の形態に係る確定処理の概略フローチャートである。【００８３】
図１１に示すように、確定処理においては、まず、確定データから、指示データと予約ＩＤとを抽出する（Ｓ１５０１）。【００８４】
次に、抽出した指示データが、郵送仲介依頼データかキャンセルデータかを判定する（Ｓ１５０２）。【００８５】
Ｓ１５０２にて、抽出した指示データが郵送仲介依頼データであると判定された場合、予約テーブルにアクセスし、確定データから抽出した予約ＩＤを「予約ＩＤ」フィールドに格納しているレコードを特定する（Ｓ１５０３）。次に、特定したレコードの「葉書ＩＤ」フィールド、「広告主ＩＤ」フィールド、「予約枚数」フィールド、「予約金額」フィールドから、それぞれ、葉書ＩＤ、広告主ＩＤ，予約枚数、予約金額を取得する（Ｓ１５０４）。次に、葉書テーブルにアクセスし、取得した葉書ＩＤを「葉書ＩＤ」フィールドに格納しているレコードを特定する（Ｓ１５０５）。次に、特定したレコードの「仲介済枚数」フィールドに格納されている仲介済枚数に、取得した予約枚数を加算し、葉書テーブルを更新する（Ｓ１５０６）。次に、予算テーブルにアクセスし、取得した広告主ＩＤを「広告主ＩＤ」フィールドに格納しているレコードを特定する（Ｓ１５０７）。次に、特定したレコードの「使用済金額」フィールドに格納されている使用済金額に、取得した予約金額を加算し、予算テーブルを更新する（Ｓ１５０８）。【００８６】
Ｓ１５０８の後、または、Ｓ１５０２において抽出した指示データがキャンセルデータであると判定された場合は、予約テーブルにアクセスし、確定データから抽出した予約ＩＤを「予約ＩＤ」フィールドに格納しているレコードを特定する（Ｓ１５０９）。【００８７】
そして、特定したレコードの各フィールドに格納されているデータを削除する（Ｓ１５１０）。【００８８】
以上説明したように、本発明の実施の形態に係る無料郵便システム１によれば、郵送仲介サーバ２０が差出人端末１０から郵送仲介依頼データを受信した後に、葉書テーブルと予算テーブルとが更新される。したがって、郵送の仲介を行うか否かの不明瞭な段階で、葉書テーブルと予算テーブルとが更新されてしまうことがない。【００８９】
なお、上記した実施の形態においては、差出人端末プログラムが差出人端末１０のブラウザ上で起動され、郵送仲介サーバ２０との間で、Ｗｅｂページの閲覧要求とは非同期にデータ送受信が行われる。このようにすれば、Ｗｅｂページの切り替わり（すなわち、ブラウザ全体の画面遷移）を生じさせることなく、差出人端末１０のブラウザ上において葉書データを表示させることができる。このため、たとえば、ある差出人甲の差出人端末１０から葉書データＡの郵送仲介依頼データを含む確定データが郵送仲介サーバ２０に対して送信され、郵送仲介サーバ２０において確定処理（Ｓ１５０）が行われた場合に、差出人乙の差出人端末１０のブラウザ上では、Ｗｅｂページの切り替わり（すなわち、ブラウザ全体の画面遷移）を生じさせることなく、葉書データＡが消える又は暗くなるなどして、葉書データＡを選択できないようにする処理を実現できる。よって、差出人乙の差出人端末１０においては、年賀状の郵送が差し迫った年末やクリスマスカードの郵送が差し迫った１２月初旬などのような葉書データが品切れ（広告主の予算が使い果たされ残っていない状態）となり易い時期においても、ある葉書データが郵送仲介不可能となって選択できなくなっているか否かを確認するために、Ｗｅｂページの閲覧要求を頻繁に行う必要がなく、葉書データの選択を落ち着いて行うことが可能となる。【００９０】
なお、本実施の形態においては、上述したように、予約処理（Ｓ１２０）が行われる。このため、たとえば、差出人端末１０のブラウザ上に郵送仲介可能として表示されていた葉書データが、品切れ（広告主の予算が使い果たされ残っていない状態）となった場合において、当該葉書データが差出人端末１０のブラウザ上において郵送仲介不可能として表示される前に、当該差出人端末１０から郵送仲介サーバ２０に対して当該葉書データの選択データが送信されたとしても、当該葉書データについて郵送依頼データが郵送仲介サーバ２０から印刷サーバ３０（又は印刷サーバ４０）に送信されることはなく、当該葉書データを印刷された葉書が広告主の予算を超えて郵送されることが防止される。【００９１】
なお、本発明においては、上記のようにして差出人端末プログラムが差出人端末１０のブラウザ上で起動されることが好ましいが、本発明においては、差出人端末プログラムを用いることなく、差出人端末１０のブラウザと郵送仲介サーバ２０とがＷｅｂページの閲覧要求に同期してデータ送受信を行うことにしてもよい。この場合、差出人端末１０のブラウザにおいては、郵送仲介サーバ２０との間でデータをやり取りするたびに、Ｗｅｂページの切り替わり（すなわち、ブラウザ全体の画面遷移）が生じる。
【実施例】
【００９２】
次に、図１２を参照しつつ、本発明の実施例について説明する。図１２は、本発明の実施例を説明する図であり、図１２（ａ）は、葉書データ表示処理（Ｓ８０）において差出人端末１０のブラウザ上に表示される画面を示す図であり、図１２（ｂ）は葉書データ選択処理（Ｓ９０）において差出人端末１０のブラウザ上に表示される画面を示す図である。図１２（ａ）に示すように、葉書データ表示処理（Ｓ８０）においては、差出人端末１０のブラウザ上に、たとえば５つの葉書データＡ、Ｂ、Ｃ、Ｄ、Ｅが表示される。各葉書データＡ、Ｂ、Ｃ、Ｄ、Ｅには、広告画像が表示されている。図１２（ｂ）に示すように、葉書データ選択処理（Ｓ９０）においては、差出人端末１０のブラウザ上で、選択された葉書データＤが選択表示される。【００９３】
以上、本発明の実施の形態及び実施例について説明したが、これらの説明は本発明の一例に関する説明であり、本発明は上記説明によって何ら限定されるものではない。
【産業上の利用可能性】
【００９４】
本発明における「葉書」には、郵送し得るすべての紙片が含まれるが、本発明は、特に、年賀状や暑中見舞いやクリスマスカードなどの短期間に大量に郵送される紙片に好適に利用することができる。
【図１】
2008096391.tif 000003
【図２】
2008096391.tif 000004
【図３】
2008096391.tif 000005
【図４】
2008096391.tif 000006
【図５】
2008096391.tif 000007
【図６】
2008096391.tif 000008
【図７】
2008096391.tif 000009
【図８】
2008096391.tif 000010
【図９】
2008096391.tif 000011
【図１０】
2008096391.tif 000012
【図１１】
2008096391.tif 000013
【図１２】
2008096391.tif 000014
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
差出人端末にネットワークを介して接続された郵送仲介サーバと、前記郵送仲介サーバにネットワークを介して接続された印刷コンピュータと、を備えた無料郵便システムであって、
前記郵送仲介サーバは、
広告画像を含む葉書データを記憶する葉書記憶手段と、
前記葉書データの送信を要求する葉書データ送信要求を前記差出人端末から受信する葉書データ送信要求受信手段と、
前記葉書データ送信要求受信手段によって前記葉書データ送信要求を受信した場合に、広告主の予算が残されている葉書データを前記葉書記憶手段から抽出する葉書データ抽出処理手段と、
前記葉書データ抽出処理手段によって抽出された葉書データを前記差出人端末に送信する葉書データ送信手段と、
前記葉書データ送信手段によって送信された葉書データについて前記差出人端末から郵送仲介依頼データを受信した場合に、該葉書データを含む郵送依頼データを前記印刷コンピュータに送信する郵送依頼データ送信手段と、
前記葉書データ送信手段によって送信された葉書データについて前記差出人端末から郵送仲介依頼データを受信した後に、前記広告主の予算を更新する予算更新手段と、
を具備し、
前記印刷コンピュータは、
前記郵送仲介サーバから前記郵送依頼データを受信する郵送依頼データ受信手段を具備する、
ことを特徴とする無料郵便システム。
【請求項２】
差出人端末と印刷コンピュータとにネットワークを介して接続された郵送仲介サーバであって、
広告画像を含む葉書データを記憶する葉書記憶手段と、
前記葉書データの送信を要求する葉書データ送信要求を前記差出人端末から受信する葉書データ送信要求受信手段と、
前記葉書データ送信要求受信手段によって前記葉書データ送信要求を受信した場合に、広告主の予算が残されている葉書データを前記葉書記憶手段から抽出する葉書データ抽出処理手段と、
前記葉書データ抽出処理手段によって抽出された葉書データを前記差出人端末に送信する葉書データ送信手段と、
前記葉書データ送信手段によって送信された葉書データについて前記差出人端末から郵送仲介依頼データを受信した場合に、該葉書データを含む郵送依頼データを前記印刷コンピュータに送信する郵送依頼データ送信手段と、
前記葉書データ送信手段によって送信された葉書データについて前記差出人端末から郵送仲介依頼データを受信した後に、前記広告主の予算を更新する予算更新手段と、
を具備する、
ことを特徴とする郵送仲介サーバ。
【手続補正２】
【補正対象書類名】明細書
【補正対象項目名】０００２
【補正方法】変更
【補正の内容】
【０００２】
便システム及び郵送仲介サーバを提供することを目的とする。
課題を解決するための手段
［０００７］
本発明によれば、上記課題は、次の手段により解決される。
［０００８］
本発明は、差出人端末にネットワークを介して接続された郵送仲介サーバと、前記郵送仲介サーバにネットワークを介して接続された印刷コンピュータと、を備えた無料郵便システムであって、前記郵送仲介サーバは、広告画像を含む葉書データを記憶する葉書記憶手段と、前記葉書データの送信を要求する葉書データ送信要求を前記差出人端末から受信する葉書データ送信要求受信手段と、前記葉書データ送信要求受信手段によって前記葉書データ送信要求を受信した場合に、広告主の予算が残されている葉書データを前記葉書記憶手段から抽出する葉書データ抽出処理手段と、前記葉書データ抽出処理手段によって抽出された葉書データを前記差出人端末に送信する葉書データ送信手段と、前記葉書データ送信手段によって送信された葉書データについて前記差出人端末から郵送仲介依頼データを受信した場合に、該葉書データを含む郵送依頼データを前記印刷コンピュータに送信する郵送依頼データ送信手段と、前記葉書データ送信手段によって送信された葉書データについて前記差出人端末から郵送仲介依頼データを受信した後に、前記広告主の予算を更新する予算更新手段と、を具備し、前記印刷コンピュータは、前記郵送仲介サーバから前記郵送依頼データを受信する郵送依頼データ受信手段を具備する、ことを特徴とする無料郵便システムである。
［０００９］
また、本発明は、差出人端末と印刷コンピュータとにネットワークを介して接続された郵送仲介サーバであって、広告画像を含む葉書データを記憶する葉書記憶手段と、前記葉書データの送信を要求する葉書データ送信要求を前記差出人端末から受信する葉書データ送信要求受信手段と、前記葉書データ送信要求受信手段によって前記葉書データ送信要求を受信した場合に、広告主の予算が残されている葉書データを前記葉書記憶手段から抽出する葉書データ抽出処理手段と、前記葉書データ抽出処理手段によって抽出された葉書データを前記差出人端末に送信する葉書データ送信手段と、前記葉書デー
【手続補正３】
【補正対象書類名】明細書
【補正対象項目名】０００３
【補正方法】変更
【補正の内容】
【０００３】
タ送信手段によって送信された葉書データについて前記差出人端末から郵送仲介依頼データを受信した場合に、該葉書データを含む郵送依頼データを前記印刷コンピュータに送信する郵送依頼データ送信手段と、前記葉書データ送信手段によって送信された葉書データについて前記差出人端末から郵送仲介依頼データを受信した後に、前記広告主の予算を更新する予算更新手段と、を具備する、ことを特徴とする郵送仲介サーバである。
発明の効果
［００１０］
本発明によれば、郵送仲介可能な葉書が広告主の予算が残されている葉書データを印刷された葉書に限られる。したがって、本発明によれば、広告主が広告料として負担する葉書郵送に伴う費用が広告主の予算の範囲内に限られることとなり、広告主が膨大な額の費用を負担することがない無料郵便システム及び郵送仲介サーバを提供することが可能となる。
図面の簡単な説明
［００１１］
［図１］本発明の実施の形態に係る無料郵便システムの概略構成を示す図である。
［図２］本発明の実施の形態に係る無料郵便システムの概略動作を示す図である。
［図３］本発明の実施の形態に係る郵送仲介サーバの概略構成図である。
［図４］本発明の実施の形態に係る葉書記憶手段の概略構成図である。
［図５］本発明の実施の形態に係る各種テーブルの概略構成を示す図である。
［図６］本発明の実施の形態に係る葉書抽出処理の概略フローチャートである。
［図７］本発明の実施の形態に係る個別予算抽出処理の概略フローチャートである。
［図８］本発明の実施の形態に係る全体予算抽出処理の概略フローチャートである。
［図９］本発明の実施の形態に係る予約処理の概略フローチャートである。
［図１０］本発明の実施の形態に係る予約テーブル書込処理の概略フローチャートである。
［図１１］本発明の実施の形態に係る確定処理の概略フローチャートである。
［図１２］本発明の実施例を説明する図である。
符号の説明
［００１２］
１    無料郵便システム
【国際調査報告】
2008096391.tif 000015
2008096391.tif 000016
2008096391.tif 000017
2008096391.tif 000018